(57)【特許請求の範囲】
【請求項１】
排水装置に配置される給排気可能な排水装置用キャップであって、
前記排水装置は、シャーシおよびモーターを有し、前記モーターは前記シャーシの上方に装着され、先端部にファンを有し、前記ファンは前記モーターの駆動軸に接続され、
前記給排気可能な排水装置用キャップは、先端部および筒状部からなる本体、前記本体の底部に形成された開口部、複数の排気口、突出縁部、外壁面、複数の給気口および複数の装着部を有し、
複数の前記排気口は、前記筒状部の上方辺縁部に形成され、前記突出縁部は前記筒状部の表面の中間部位から前記筒状部の周りに沿って外側かつ下方へ伸びて形成され、前記外壁面は前記筒状部の周りに沿って前記突出縁部から下方へ伸びて形成され、かつ前記筒状部との間に一定距離を置き、底部が前記筒状部の底部より低く、複数の前記給気口は前記筒状部と径方向に重複する前記外壁面に形成され、複数の前記装着部は前記外壁面の底部から外側へ伸びて形成され、
前記給排気可能な排水装置用キャップは前記モーターに被さり、前記装着部によって前記排水装置の前記シャーシに装着され、前記筒状部の前記底部は前記シャーシに接触せず一定距離を置き、前記排気口は前記ファンに対応し、前記外壁面の前記底部はシャーシに当接することを特徴とする、
給排気可能な排水装置用キャップ。
【請求項２】
前記外壁面は、前記底部に少なくとも一つの凹状孔を有することを特徴とする請求項１に記載の給排気可能な排水装置用キャップ。
【請求項３】
一部の前記装着部はフック状を呈するのに対し、前記シャーシは複数の中空部を有することを特徴とする請求項１に記載の給排気可能な排水装置用キャップ。
【請求項４】
一部の前記装着部は、ボルトが末端を貫通することによって前記シャーシに締め付けられることを特徴とする請求項１に記載の給排気可能な排水装置用キャップ。
【請求項５】
前記外壁面と前記筒状部との間は複数のリブによって連結され、複数の前記リブは前記突出縁部の下方から前記筒状部の前記底部まで伸びることを特徴とする請求項１に記載の給排気可能な排水装置用キャップ。
【請求項６】
複数の前記リブ、前記筒状部および前記外壁面は一体成型であることを特徴とする請求項５に記載の給排気可能な排水装置用キャップ。
【請求項７】
前記給気口は線状を呈し、規則的に配列することを特徴とする請求項１に記載の給排気可能な排水装置用キャップ。
【発明の詳細な説明】
【技術分野】
【０００１】
本発明は、排水装置に関し、詳しくは給排気が可能な排水装置用キャップに関するものである。
【背景技術】
【０００２】
権利者が本出願人の特許文献１により掲示された排水装置のモーターカバーはモーターの冷却ファンの回転に伴って生じた気流を誘導する効果を果たすものである。前記モーターカバーはモーターだけでなく、モーター以外の部品を覆うため、全体の体積が比較的大きい。そのため、排水装置は全体空間および部品配置が限定される。それに対し、モーターカバーの体積を縮小できれば好ましい。
【０００３】
前記モーターカバーは複数の斜面に位置する給気口を有する。斜面は排水装置の別の部品を覆うキャップから形成される。埃や毛玉などの汚れが比較的ひどい環境に排水装置を使用する場合、前記モーターカバーは、モーターの回転によって気流が誘導されるとともに埃や毛玉を空気中に浮遊させ、空気中に浮遊した埃や毛玉が給気口から流入し、部品の表面に落下するため、部品の故障または損壊を抑制できない。
【０００４】
これに対し、モーターカバーがモーターだけを覆うように製作されれば、モーターカバーの体積を縮小できる。しかしながら、給気口が特許文献１と同じようにモーターカバーの側辺に配置されれば、埃や毛玉が吸引され、冷却ファンに付着するため、排気が不良になり、モーターが過熱し、故障してしまうという問題が起こる。
【先行技術文献】
【特許文献】
【０００５】
【特許文献１】台湾実用新案Ｍ３０８５６７号公報
【発明の概要】
【発明が解決しようとする課題】
【０００６】
本発明は、モーターだけを覆い、埃や毛玉がファンに付着しにくい給排気可能な排水装置用キャップを提供することを主な目的とする。
【課題を解決するための手段】
【０００７】
上述した課題を解決するため、給排気可能な排水装置用キャップは排水装置に配置される。排水装置はシャーシおよびモーターを有する。モーターはシャーシの上方に装着され、先端部にファンを有する。ファンはモーターの駆動軸に接続される。キャップは先端部および筒状部からなる本体、本体の底部に形成された開口部、複数の排気口、突出縁部、外壁面、複数の給気口および複数の装着部を有する。複数の排気口は筒状部の上方辺縁部に形成される。突出縁部は筒状部の表面の中間部位から筒状部の周りに沿って外側かつ下方へ伸びて形成される。外壁面は筒状部の周りに沿って突出縁部から下方へ伸びて形成される。外壁面は筒状部に一定距離を置き、底部が筒状部の底部より低い。複数の給気口は外壁面の表面に形成される。複数の装着部は外壁面の底部から外側へ伸びて形成される。給排気可能な排水装置用キャップはモーターに被さり、かつ装着部によって排水装置のシャーシに装着される。筒状部の底部はシャーシに接触せず一定距離を置く。複数の排気口はファンに対応する。外壁面は底部がシャーシに当接する。
【０００８】
上述したとおり、本発明による給排気可能な排水装置用キャップはモーターだけを覆うため、従来の技術と比べて全体の体積が比較的小さい。一方、本発明は吸入された空気を給気口から筒状部の底部へ送り込み、キャップに流入させることができるため、埃や毛玉がファンに付着しにくい。
【図面の簡単な説明】
【０００９】
【図１】本発明の一実施形態による給排気可能な排水装置用キャップが排水装置に装着された状態を示す斜視図である。
【図２】本発明の一実施形態による給排気可能な排水装置用キャップと排水装置とが分解された状態を示す斜視図である。
【図３】本発明の一実施形態による給排気可能な排水装置用キャップを示す縦断面図である。
【図４】図３中の４−４線に沿った断面図である。
【図５】本発明の一実施形態による給排気可能な排水装置用キャップが排水装置に装着された状態を示す一部分の断面図である。
【発明を実施するための形態】
【００１０】
以下、本発明による給排気可能な排水装置用キャップを図面に基づいて説明する。
【００１１】
（一実施形態）
図１から図５に示すように、本発明の一実施形態による給排気可能な排水装置用キャップ１０は排水装置９０に配置される。排水装置９０はシャーシ９１およびモーター９５を有する。モーター９５はシャーシ９１の上方に装着され、先端部にファン９６を有する。ファン９６はモーター９５の駆動軸に接続される。
【００１２】
給排気可能な排水装置用キャップ１０は、先端部１２および筒状部１４からなる本体１１、本体１１の底部に形成された開口部１１１、複数の排気口１４１、突出縁部１５、外壁面１６、複数の給気口１６１および複数の装着部１６２、１６２’を有する。
複数の排気口１４１は筒状部１４の上方辺縁部に形成される。突出縁部１５は筒状部１４の表面の中間部位から筒状部１４の周りに沿って外側かつ下方へ伸びて形成される。外壁面１６は筒状部１４の周りに沿って突出縁部１５から下方へ伸びて形成される。外壁面１６は筒状部１４に一定距離を置き、底部が筒状部１４の底部より低い。複数の給気口１６１は外壁面１６の表面に形成される。複数の装着部１６２、１６２’は外壁面１６の底部から外側へ伸びて形成される。
【００１３】
給排気可能な排水装置用キャップ１０はモーター９５に被さり、複数の装着部１６２、１６２’によって排水装置９０のシャーシ９１に装着される。筒状部１４の底部はシャーシ９１に接触せず一定距離を置く。複数の排気口１４１はファン９６に対応する。外壁面１６の底部はシャーシ９１に当接する。
【００１４】
本実施形態において、複数の装着部１６２、１６２’の一部分の装着部１６２はフック状を呈するのに対し、シャーシ９１は複数の中空部９２を有する。フック状の装着部１６２と中空部９２とは相互に嵌合される。ボルト９３は別の装着部１６２’の末端を貫通し、装着部１６２’をシャーシ９１に締め付ける。つまり、締付方式によって給排気可能な排水装置用キャップ１０をシャーシ９１に固定することができる。
【００１５】
本実施形態において、外壁面１６と筒状部１４との間は複数のリブ１７によって連結される。複数のリブ１７は突出縁部１５の下方から筒状部１４の底部まで伸びるため、外壁面１６と筒状部１４との間の構造強度を向上させることができる。
一方、複数のリブ１７、筒状部１４および外壁面１６は一体成型であるため、結合効果が比較的良い。本実施形態は必ずしもリブ１７を配置するとは限らないが、リブ１７を配置しなければ、構造全体の強度が多少落ちる。
【００１６】
本実施形態において、外壁面１６は底部に少なくとも一つの凹状孔１６３、即ち一つまたは複数の凹状孔１６３を有する。凹状孔１６３は空気通路となり、かつ観察および検知の便をはかることができる。メンテナンスを行う際、複数の凹状孔１６３によって筒状部１４の底部の下方空間を外部から覗き、内部を検知することができる。本実施形態は必ずしも凹状孔１６３を配置するとは限らないが、内部を検知する際、給排気可能な排水装置用キャップ１０を取り外しなければならない。
【００１７】
以上は本実施形態の構造についての説明である。続いて本実施形態の作用について説明する。
【００１８】
図５に示すように、モーター９５が稼働すると同時にファン９６を回転させる際、給排気可能な排水装置用キャップ１０の内部の空気は排気口１４１から排出される。このとき内部の空気圧は降下し、外部の空気を吸引する吸引力を生じさせる。大部分の空気は吸引力によって給気口１６１から導入され、そののち筒状部１４に妨害されるため筒状部１４の底部とシャーシ９１との間の隙間から流入し、そののち開口部１１１から給排気可能な排水装置用キャップ１０に流れ込む。
外部の空気は筒状部１４の底部から給排気可能な排水装置用キャップ１０に流れ込むため、埃または毛玉は外部の空気に混じって給排気可能な排水装置用キャップ１０に流れ込んでもファン９６まで届かない。つまり、上述した設計により、大部分の埃または毛玉をモーター９５の下方に残留させ、モーター９５に埃が付着することを抑制し、環境の汚れへの対応をより効果的にすることができる。
一方、給排気可能な排水装置用キャップ１０が実際に使用される際、ほんの一部分の空気は複数の凹状孔１６３から給排気可能な排水装置用キャップ１０に流れ込む。凹状孔１６３は外壁面１６の底部に形成される。つまりほんの一部分の空気は筒状部１４の底部から給排気可能な排水装置用キャップ１０に流れ込むため、給気口１６１の機能に影響を与えることがない。
【００１９】
本実施形態において、給気口１６１は線状を呈し、規則的に配列するため、フィルターのような機能を果たし、外部の異物のうちの比較的大きい毛玉またはごみを取り除き、給排気可能な排水装置用キャップ１０の内部を清潔に維持することができる。
【００２０】
上述したとおり、本発明による給排気可能な排水装置用キャップ１０はモーター９５だけを覆い、ファン９６に埃または毛玉をあまり付着させないため、従来の技術と比べて環境の汚れへより効果的に対応することができる。
【符号の説明】
【００２１】
１０  給排気可能な排水装置用キャップ
１１  本体
１１１  開口部
１２  先端部
１４  筒状部
１４１  排気口
１５  突出縁部
１６  外壁面
１６１  給気口
１６２、１６２’  装着部
１６３  凹状孔
１７  リブ
９０  排水装置
９１  シャーシ
９２  中空部
９３  ボルト
９５  モーター
９６  ファン
【図１】
0006441409.tif 000002
【図２】
0006441409.tif 000003
【図３】
0006441409.tif 000004
【図４】
0006441409.tif 000005
【図５】
0006441409.tif 000006